(57)【要約】【課題】  鎌錠を電動で動作させることができる上、その電気配線を簡素な構造にする。【解決手段】  縦枠を有する枠体１０と、枠体１０に戸先部を対向させて枠体１０内を横幅方向へ開閉動作する戸体２０とを備えた引戸装置であって、前記縦枠に、鎌錠３２を電動で出没させる電気錠３０と、電気錠３０の電線３９とを設け、戸体２０には、鎌錠３２によって係脱可能であって且つ前記横幅方向へ所定量移動可能に支持されたストライク４１と、ストライク４１を戸尻方向へ付勢する付勢部材４２ａ，４３ａとを設けた。【選択図】  図６
2020060031.tif 000002
【特許請求の範囲】
【請求項１】
縦枠を有する枠体と、前記縦枠に戸先部を対向させて前記枠体内を横幅方向へ開閉動作する戸体とを備えた引戸装置であって、
前記縦枠に、鎌錠を電動で出没させる電気錠と、該電気錠の電線とを設け、
前記戸体には、前記鎌錠によって係脱可能であって且つ前記横幅方向へ所定量移動可能に支持されたストライクと、該ストライクを戸尻方向へ付勢する付勢部材とを設けたことを特徴とする引戸装置。
【請求項２】
前記縦枠は、前記戸体の戸先部との対向面を、該戸先部を没入可能な凹状に形成するとともに、この凹状部分の底部から前記鎌錠を出没させることを特徴とする請求項１記載の引戸装置。
【請求項３】
前記戸体の戸先側には、前記ストライクを備えた被係脱装置が設けられ、
この被係脱装置は、前記ストライクの上部側を付勢部材により戸尻方向へ付勢しながら前記横幅方向へ移動可能に支持する上側支持部と、前記ストライクの下部側を他の付勢部材により戸尻方向へ付勢しながら前記横幅方向へ移動可能に支持する下側支持部とを、それぞれ独立して具備していることを特徴とする請求項１又は２記載の引戸装置。
【請求項４】
前記縦枠は、躯体側の不動部位に固定される固定枠と、この固定枠の戸尻方向側に支持された支持枠とを備え、前記支持枠に前記電気錠を設けていることを特徴とする請求項１〜３何れか１項記載の引戸装置。
【請求項５】
前記支持枠は、前記固定枠に対し開き戸状に回動するように支持されていることを特徴とする請求項４記載の引戸装置。
【発明の詳細な説明】
【技術分野】
【０００１】
本発明は、戸体を横幅方向へ移動させることで開口部を開閉する引戸装置に関するものである。
【背景技術】
【０００２】
従来、この種の発明には、特許文献１に記載されるように、竪枠を有する枠部材と、この枠部材内で横幅方向へ開閉動作する引戸部材と、前記竪枠に設けられたストライクと、前記竪枠内で前記ストライクを横方向へ移動可能に支持するとともに戸先方向（引戸閉鎖方向）へ付勢する圧縮ばねと、手動操作により前記引戸部材の戸先から出没する鎌錠とを備えた耐震ストライク付引戸がある。
この従来技術によれば、鎌錠をストライクに係合させた状態で、地震発生等に起因して枠部材上部側が戸尻方向へ層間変形し、引戸部材が戸尻方向へ移動した場合に、ストライクを圧縮ばねの付勢力に抗して戸尻方向へ移動させて、鎌錠とストライクとの係合箇所に過剰な引張力が作用するのを防ぐことができる。
【先行技術文献】
【特許文献】
【０００３】
【特許文献１】特開２０１６−１７３５９号公報
【発明の概要】
【発明が解決しようとする課題】
【０００４】
ところで、上記のような耐震ストライク付引戸について、鎌錠を引戸部材の戸先から電動で出没させて、より利便性を向上することが求められている。
しかしながら、上記構成の従来技術では、鎌錠を電動で動作させる電気錠を引戸部材に設けた場合、この電気錠に電力を供給する電気配線経路を、横幅方向へ移動する引戸部材と、不動に固定された枠体との間に股がらせなければならず、例えばこれらの間にフレキシブルな電線あるいはブラシ構造等の特殊な電気配線構造を適用したとしても、断線や耐久性の低下等を免れないおそれがある。
【課題を解決するための手段】
【０００５】
このような課題に鑑みて、本発明は、以下の構成を具備するものである。
縦枠を有する枠体と、前記縦枠に戸先部を対向させて前記枠体内を横幅方向へ開閉動作する戸体とを備えた引戸装置であって、前記縦枠に、鎌錠を電動で出没させる電気錠と、該電気錠の電線とを設け、前記戸体には、前記鎌錠によって係脱可能であって且つ前記横幅方向へ所定量移動可能に支持されたストライクと、該ストライクを戸尻方向へ付勢する付勢部材とを設けたことを特徴とする引戸装置。
【発明の効果】
【０００６】
本発明は、以上説明したように構成されているので、鎌錠を電動で動作させることができる上、その電気配線を簡素な構造にすることができる。
【図面の簡単な説明】
【０００７】
【図１】本発明に係る引戸装置の一例を示す正面図である。
【図２】同引戸装置が上部側を戸尻方向へ層間変形させた状態を示す正面図である。
【図３】同引戸装置を示す横断面図である。
【図４】戸体の戸先面を示す図である。
【図５】支持装置を構成する上側支持部および下側支持を示し、（ａ）は戸先側から視た図、（ｂ）は（ａ）に対する側面図である。
【図６】縦枠側の鎌錠と、戸体側のストライクとが係合する前の状態を示す要部構造図である。
【図７】縦枠側の鎌錠と、戸体側のストライクとが係合した状態を示す要部構造図である。
【図８】縦枠側の鎌錠と、戸体側のストライクとが係合した状態で戸体が戸尻方向へ若干移動した状態を示す要部構造図である。
【図９】本発明に係る引戸装置の他例を示す横断面図である。
【図１０】本発明に係る引戸装置の他例において、戸先側縦枠の戸尻側の端面から鎌錠を突出させた状態を示す斜視図である。
【図１１】同引戸装置が上部側を戸尻方向へ層間変形させた状態を示す正面図である。
【発明を実施するための形態】
【０００８】
本実施の形態では、以下の特徴を開示している。
第一の特徴は、縦枠を有する枠体と、前記縦枠に戸先部を対向させて前記枠体内を横幅方向へ開閉動作する戸体とを備えた引戸装置であって、前記縦枠に、鎌錠を電動で出没させる電気錠と、該電気錠の電線とを設け、前記戸体には、前記鎌錠によって係脱可能であって且つ前記横幅方向へ所定量移動可能に支持されたストライクと、該ストライクを戸尻方向へ付勢する付勢部材とを設けた。
この構成によれば、横幅方向へ移動することのない縦枠側に電気錠およびその電線を設けたため、鎌錠を電動で動作させることができるのは勿論のこと、その電気配線を簡素な構造にすることができる。
【０００９】
第二の特徴として、前記縦枠は、前記戸体の戸先部との対向面を、該戸先部を没入可能な凹状に形成するとともに、この凹状部分の底部から前記鎌錠を出没させる。
この構成によれば、鎌錠とストライクとの係脱箇所が外部に露出するのを防ぐことができる。
【００１０】
第三の特徴として、前記戸体の戸先側には、前記ストライクを備えた被係脱装置が設けられ、この被係脱装置は、前記ストライクの上部側を付勢部材により戸尻方向へ付勢しながら前記横幅方向へ移動可能に支持する上側支持部と、前記ストライクの下部側を他の付勢部材により戸尻方向へ付勢しながら前記横幅方向へ移動可能に支持する下側支持部とを、それぞれ独立して具備している。
この構成によれば、ストライクの取付位置の微調整や、鎌錠及びストライクのサイズ変更に応じたピッチ変更等を、容易に行うことができ、施工性やメンテナンス性が良好である。
【００１１】
第四の特徴として、前記縦枠は、躯体側の不動部位に固定される固定枠と、この固定枠の戸尻方向側に支持された支持枠とを備え、前記支持枠に前記電気錠を設けている。
この構成によれば、躯体開口部に設置する際の施工性や、電気錠に対するメンテナンス性等を向上することができる。
【００１２】
第五の特徴として、前記支持枠は、前記固定枠に対し開き戸状に回動するように支持されている。
この構成によれば、施工性や、電気錠に対するメンテナンス性等をより向上できる上、戸体及び支持枠の双方を開放して開口部を広く確保することができる。
【００１３】
＜第一の実施態様＞
次に、上記特徴を有する具体的な実施態様について、図面に基づいて詳細に説明する。
以下の具体例は、高齢者入居施設や、病院、ビル、住宅、倉庫、工場、車両の荷台等の躯体における開口部に配設され、戸体を枠体上部のガイドレールに吊り下げて略水平方向へ略直線的に移動させる、上吊方式の引戸装置に適用した一例として説明する。
なお、本明細書中、戸体２０が閉鎖動作する方向を「戸体閉鎖方向」、「戸先方向」又は「戸先側」と呼称し、戸体２０が開放動作する方向を「戸体開放方向」、「戸尻方向」又は「戸尻側」と呼称する。
【００１４】
引戸装置１は、戸先側縦枠１２を有する枠体１０と、戸先側縦枠１２に戸先部を対向させて枠体１０内を横幅方向へ開閉動作する戸体２０とを備え、上記した建築物等の躯体１００の開口部に枠体１０を嵌め合わせる（図１参照）。
また、この引戸装置１は、戸体２０を全閉状態で施錠する電気錠３０およびストライク４１等を備えている。
【００１５】
枠体１０は、戸体２０の開閉経路の上方側に位置する上側横枠１１と、通路用開口部Ａの戸先方向側に位置する戸先側縦枠１２と、戸体２０の開閉範囲の中央寄りに位置する中央側縦枠１３と、全開時の戸体２０の戸尻に当接または近接するように位置する戸尻側縦枠１４とを具備する。
【００１６】
そして、この枠体１０は、その枠内の中央側縦枠１３よりも戸先方向側の空間を通路用開口部Ａとし、同枠内の中央側縦枠１３よりも戸尻方向側の空間を、戸体２０を収納するための戸袋部Ｂとしている。戸袋部Ｂは、その戸厚方向の両側が壁部１５により覆われている。
【００１７】
上側横枠１１は、戸体２０の上端側を戸厚方向へわたって凹状に囲む部材であり、戸体２０の開閉経路の略全長にわたる長尺状に形成される。
この戸体２０内には、戸体２０上端側の吊車（図示せず）を吊るして開閉方向へ案内するガイドレール（図示せず）が設けられる。
【００１８】
戸先側縦枠１２は、躯体側の不動部位に接続固定される固定枠１２ａと、固定枠１２ａによってその戸尻方向側に支持された支持枠１２ｂとを一体的に具備している。
【００１９】
固定枠１２ａは、躯体開口部における戸先方向側の内縁（不動部位）に上下方向にわたって固定された長尺状の部材であり、図３に示すように、その戸尻側の面を、横断面凹状に形成し、この凹状部分に、支持枠１２ｂを嵌め合わせて固定している。
【００２０】
支持枠１２ｂは、固定枠１２ａに対し、上下方向へわたって接続固定された長尺状の部材であり、図３に示すように、支持枠１２ｂに嵌め合わせられた基部１２ｂ１と、この基部１２ｂ１よりも厚肉に形成されて戸体２０の戸先側を受ける受部１２ｂ２とから一体の中空状に形成される。
【００２１】
受部１２ｂ２は、図３に示すように、戸体２０の戸先部との対向面を、該戸先部を没入可能な凹状に形成するとともに、この凹状部分の底部に、鎌錠３２を出没させる開口と、戸体２０の戸先面を弾性的に受けてその衝撃を緩和する緩衝材１２ｂ２２とを有する。
また、受部１２ｂ２における前記凹状部分の内側面には、戸体２０の表面と裏面にそれぞれ弾性的に接触する気密材１２ｂ２１が設けられる。
【００２２】
そして、上記構成の支持枠１２ｂ内には、その上部側と下部側に、それぞれ、鎌錠３２を電動で出没させる電気錠３０と、各電気錠３０へ電力を供給する電線３９とが設けられる。
【００２３】
また、中央側縦枠１３は、通路用開口部Ａにおける戸体開放方向側の内縁となる部材であり、上側横枠１１の下端から床面にわたる上下方向へ連続するとともに、開放動作した際の戸体２０を挿入する開口を有する。
【００２４】
また、戸尻側縦枠１４は、戸袋部Ｂの戸体開放方向側の端部を構成する部材であり（図１参照）、上側横枠１１から床面にわたる上下方向へ連続している。
【００２５】
各電気錠３０は、中空箱状のケース３１と、ケース３１から戸尻方向側へ突出したり逆方向側へ没入したりする鎌錠３２と、鎌錠３２を回動して出没させる電動駆動機構（図示せず）と、同鎌錠３２を手動で回動させる手動操作部３３と、前記電動駆動機構に駆動電力及び制御信号等を伝送する電線３９とを備える。
【００２６】
ケース３１は、図示例によれば、矩形箱状に形成され、その戸尻方向側の端部に、当該ケース３１を戸先側縦枠１２の支持枠１２ｂに取付けるための取付板３１ａを有し、この取付板３１ａに鎌錠３２を出没させるための開口を有する（図６〜図８参照）。
【００２７】
鎌錠３２は、先端側にＬ字型に曲がった係合部３２ａを有する部材であり、ストライク４１と係合した施錠位置と、ストライク４１から離脱した解錠位置との間で回動するように、ケース３１内で軸支されている。
この鎌錠３２は、図示例によれば、下側から上側へ向かう円運動をして、ケース３１の外側へ突出し、Ｌ字状の係合部３２ａをストライク４１の内面側へ回り込ませてストライク４１に係合する。したがって、この係合状態で、戸体２０が戸尻方向へ移動しようとすると、係合部３２ａがストライク４１の内面に当接する（図８参照）。
【００２８】
また、ケース３１内の上記電動駆動機構は、鎌錠３２を施錠位置と解錠位置の間で回動させる機構とすればよく、例えば、電磁ソレノイド（又は電動モータ）や、歯車等を組み合わせた周知の機構とすればよい。
【００２９】
手動操作部３３は、外部から手で双方向へ回すことが可能なサムターン状（又はレバー状）の部材であり、その回転力が、図示しない動力伝達機構（例えば、複数の歯車等）を介して、鎌錠３２へ伝達され、鎌錠３２が回転するようになっている。
鎌錠３２は、上記電動駆動機構と、手動操作部３３の何れによっても回動するように構成される。
【００３０】
電線３９は、戸先側縦枠１２の支持枠１２ｂ内に挿通され、例えば、上側横枠１１内の電源回路及び制御回路等に電気的に接続される。
図示例の電線３９によれば、その途中箇所がコネクター３９ａにより着脱可能に接続されており、長期使用等により不具合を生じた場合には、コネクター３９ａの着脱によって電気錠３０を容易に交換できるようしてある。
【００３１】
また、戸体２０は、正面視略矩形状に構成され、その上端部が複数の吊車（図示せず）を介して、枠体１０内で横幅方向へ連続するガイドレールに掛けられて開閉方向へ移動し、該戸体２０の下端側が、床面に支持されたガイドローラ２１に嵌って移動中の戸厚方向の振れが抑制されるようになっている。
この戸体２０を開閉動作させる構造は、モーター等を用いた電動機構や、付勢部材を用いた機構、前記ガイドレールの傾斜を利用するようにした機構、あるいは、これらの機構を適宜に組み合わせた機構等とすることが可能である。
【００３２】
戸体２０は、戸厚方向に間隔を置いた表板と裏板を有し、これらの間の空間に、上下の電気錠３０にそれぞれ対向するように、被係脱装置４０を構成している。
【００３３】
被係脱装置４０は、鎌錠３２によって係脱可能なストライク４１と、このストライク４１の上部側を付勢部材４２ａにより戸尻方向へ付勢しながら戸体横幅方向へ所定量移動可能に支持する上側支持部４２と、ストライク４１の下部側を他の付勢部材４３ａにより戸尻方向へ付勢しながら戸体横幅方向へ所定量移動可能に支持する下側支持部４３とを具備している（図５〜図８参照）。これらストライク４１、上側支持部４２、下側支持部４３は、それぞれ、独立した部品として扱われる。
【００３４】
ストライク４１は、鎌錠３２の出入り可能な開口４１ａ１を有する略板状の被掛止板４１ａと、被掛止板４１ａの戸尻方向側に設けられて鎌錠３２を内在するための部屋を形成する凹状壁部４１ｂとを備え、一体的に構成される。これら二部材を一体化する手段は、溶接やねじ止め、嵌合等とすればよい。
このストライク４１は、その被掛止板４１ａを、戸体２０の戸先面に対し略面一または凹状に配置し（図６参照）、図８に示すように鎌錠３２によって引っ張られた際には戸先方向へ突出する。
【００３５】
上側支持部４２は、可動片４２ｂと、この可動片４２ｂを固定支持して戸尻方向へ突出する軸部４２ｃと、可動片４２ｂの戸尻側で軸部４２ｃを遊挿するとともに戸体２０に接続固定された固定片４２ｄと、軸部４２ｃにおける固定片４２ｄよりも戸尻側に環状に装着された付勢部材４２ａ（具体的には圧縮コイルスプリング）と、この付勢部材４２ａを戸尻側から受けて軸部４２ｃの後端にネジ等によって止着固定された受片４２ｅとを備える。そして、前記可動片４２ｂの戸先側面が、ストライク４１の上端側の裏面に接続固定される。
【００３６】
同様にして、下側支持部４３も、可動片４３ｂと、この可動片４３ｂを固定支持して戸尻方向へ突出する軸部４３ｃと、可動片４３ｂの戸尻側で軸部４３ｃを遊挿するとともに戸体２０に接続固定された固定片４３ｄと、軸部４３ｃにおける固定片４３ｄよりも戸尻側に環状に装着された付勢部材４３ａ（具体的には圧縮コイルスプリング）と、この付勢部材４３ａを戸尻側から受けて軸部４３ｃの後端にネジ等によって止着固定された受片４３ｅとを備え、前記可動片４３ｂの戸先側面が、ストライク４１の下端側の裏面に接続固定される。
【００３７】
上記構成の被係脱装置４０は、上側支持部４２と下側支持部４３が、それぞれ、独立して戸体２０に装着される。
【００３８】
次に、上記構成の引戸装置１について、その特徴的な作用効果を詳細に説明する。
戸体２０が戸先部を戸先側縦枠１２に接触または近接した状態で、各電気錠３０に電力が供給されると、鎌錠３２が回動してストライク４１に係合する。
この係合状態において、図２に示すように、地震等により引戸装置１の上部側が戸尻方向へ傾くようにして層間変形すると、戸体２０が傾斜した戸先側縦枠１２に押されて戸尻方向へ移動しようとする。
このため、ストライク４１と鎌錠３２の間に引っ張り方向の力が作用する。
【００３９】
すると、戸体２０に固定されて不動な固定片４２ｄ，４３ｄに相対し、ストライク４１、可動片４２ｂ，４２ｂ、軸部４２ｃ，４３ｃ、及び受片４２ｅ，受片４３ｅが、付勢部材４２ａ，４３ａの弾発力に抗して戸先方向へ移動する。
【００４０】
したがって、鎌錠３２とストライク４１との係合箇所に過剰な引張力が作用するのを防ぐことができ、ひいては、鎌錠３２がストライク４１にかじり付いてロック状態が解除不能になったり、電気錠３０または被係脱装置４０が破損したり等するのを防ぐことができる。
【００４１】
しかも、引戸装置１によれば、電気錠３０及びその電線３９を、移動不能に固定された戸先側縦枠１２内に配設したため、仮にこれらを戸体２０内に設けた場合と比較し、電気配線経路の断線や、接触不良、耐久性の低下等を生じ難い。
【００４２】
また、戸先側縦枠１２を躯体開口部に装着する際は、先ず、固定枠１２ａを躯体開口部の内縁に固定し、この固定枠１２ａに対し、予め電気錠３０を内在した支持枠１２ｂを固定すればよいので、その施工性が良好である。
しかも、電気錠３０を有する支持枠１２ｂが、躯体開口部側に突出しているので、支持枠１２ｂ内の電気錠３０に対するメンテナンス性も良好である。
【００４３】
また、各被係脱装置４０を上下の独立した上側支持部４２と下側支持部４３により構成しているため、ストライク４１の取付位置の微調整や、鎌錠３２及びストライク４１のサイズ変更に応じた上下ピッチの変更等を、容易に行うことができ、施工性やメンテナンス性に優れている。
【００４４】
＜第二の実施態様＞
次に、本発明に係る他の実施態様について説明する。
なお、以下に示す実施態様は、上記引戸装置１についてその一部を変更したものであるため、主にその変更部分について説明し、重複する詳細説明は適宜省略する。
【００４５】
図９に示す引戸装置２は、上記引戸装置１に対し、戸先側縦枠１２を、戸先側縦枠１２’に置換したものである。
【００４６】
戸先側縦枠１２’は、躯体側の不動部位に固定される固定枠１２ａ’と、この固定枠１２ａ’の凸状の戸尻側面に片半部を接続した蝶番１２ｃと、この蝶番１２ｃの他半部を接続した上記支持枠１２ｂとを一体的に具備する。
【００４７】
この戸先側縦枠１２’によれば、支持枠１２ｂが、蝶番１２ｃを介して、固定枠１２ａ’に対し開き戸状に回動する。
【００４８】
支持枠１２ｂの下端側には、この支持枠１２ｂを、床面や下枠等に対し、係脱可能に係止して回動不能にするフランス落とし（図示せず）が設けられる。
【００４９】
よって、上記構成の引戸装置２によれば、戸体２０を開放した際に、支持枠１２ｂを回動させれば、通路用開口部Ａをより広く確保することができる。
また、電気錠３０を内在する支持枠１２ｂの向きを変えられるため、電気錠３０に対するメンテナンス性等をより向上することができる。
【００５０】
＜第三の実施態様＞
また、図１０及び図１１に示す引戸装置３は、上記引戸装置１に対し、支持枠１２ｂを支持枠１２ｂ’に置換し、この支持枠１２ｂ’の戸尻方向の端面から電気錠３０を突出させるように構成している。
【００５１】
支持枠１２ｂ’は、戸体２０の戸先部に嵌り合う凹溝１２ｂ１’を有し、この凹溝１２ｂ１’内の底部側に、戸尻側へ突出する凸部１２ｂ２’を有し、この凸部１２ｂ２’の戸尻側の端面（貫通孔１２ｂ３’）から鎌錠３２を出没させるように、電気錠３０を内在している。
なお、他例としては、凸部１２ｂ２’を設けずに、凹溝１２ｂ１’の底部に電気錠３０を貫通させて、該底部から電気錠３０を突出させた構成とすることも可能である。
【００５２】
この引戸装置３によれば、電気錠３０が戸尻寄りに配置されるため、図１１に示すように、上部側を戸尻方向へ層間変形させた状態において、特に下部側における電気錠３０とストライク４１の間隔ｗ２を、上記引戸装置１における同部分の間隔ｗ１（図２参照）よりも小さくすることができる。ひいては、ストライク４１の横方向の移動量を小さくすることができ、さらには、被係脱装置４０の小型化が可能になる。
【００５３】
＜その他の変形例＞
なお、上記実施態様によれば、電気錠３０及び被係脱装置４０を上下に二つ設けたが、他例としては、これら電気錠３０及び被係脱装置４０を、単数または３以上設けた態様とすることも可能である。
【００５４】
また、上記実施態様によれば、上吊方式の引戸装置を構成したが、他例としては、戸体２０の下端側に戸車を設け、この戸車を床面に転動させることで、戸体２０を吊らないで開閉方向へスライドさせる引戸装置を構成することも可能である。
【００５５】
また、本発明は上述した実施態様に限定されず、本発明の要旨を変更しない範囲で適宜変更可能である。
【符号の説明】
【００５６】
１，２：引戸装置
１０：枠体
１２：戸先側縦枠
１２ａ：固定枠
１２ｂ：支持枠
２０：戸体
３２：鎌錠
３０：電気錠
３９：電線
４０：被係脱装置
４１：ストライク
４２：上側支持部
４３：下側支持部
４２ａ，４３ａ：付勢部材
【図１】
2020060031.tif 000003
【図２】
2020060031.tif 000004
【図３】
2020060031.tif 000005
【図４】
2020060031.tif 000006
【図５】
2020060031.tif 000007
【図６】
2020060031.tif 000008
【図７】
2020060031.tif 000009
【図８】
2020060031.tif 000010
【図９】
2020060031.tif 000011
【図１０】
2020060031.tif 000012
【図１１】
2020060031.tif 000013